(57)【特許請求の範囲】
【請求項１】
コアと、このコアに巻きつけられたコイルとを有する主アンテナが設けられた電子機器が所定の状態で設置される設置部と、
コアと、このコアに巻きつけられたコイルとを夫々有する複数の副アンテナとを備え、
前記複数の副アンテナは、各副アンテナのコアの軸線方向の成す角度θが、０°＜θ＜１８０°となるように前記設置部に配置されていることを特徴とする補助アンテナ装置。
【請求項２】
コアと、このコアに巻きつけられたコイルとを有する主アンテナが、そのコアの軸線方向が６時−１２時方向又は３時−９時方向の何れか一方に沿うように設けられた電波腕時計が所定の状態で設置される設置部と、
コアと、このコアに巻きつけられたコイルとを夫々有する複数の副アンテナと、を備え、
前記複数の副アンテナは、各副アンテナのコアの軸線方向の成す角度θが、０°＜θ＜１８０°となるように前記設置部に配置されていることを特徴とする補助アンテナ装置。
【請求項３】
前記複数の副アンテナは、各副アンテナのコアが、その軸線方向の延長において垂直に交差するように前記設置部に配置されていることを特徴とする請求項１又は２に記載の補助アンテナ装置。
【請求項４】
前記複数の副アンテナは、各副アンテナのコアの軸線が垂直に交差するように前記設置部に配置されていることを特徴とする請求項１又は２に記載の補助アンテナ装置。
【請求項５】
前記複数の副アンテナは、各副アンテナのコアにそれぞれ異なる周波数に同調する複数のコイルを有することを特徴とする請求項１〜４のいずれか一項に記載の補助アンテナ装置。
【請求項６】
コアと、このコアに巻きつけられたコイルとを有する主アンテナが設けられた電子機器が所定の状態で設置される設置部と、
板状のコアと、この板状のコアの第１の方向に巻回された第１コイルと、前記第１の方向とは異なる第２の方向に巻回された第２コイルとを有する副アンテナとを備え、
前記副アンテナは、前記設置部に前記電子機器が所定の状態で設置された際に、前記設置部における前記電子機器の下方に対応する位置に配置されていることを特徴とする補助アンテナ装置。
【請求項７】
前記副アンテナにおける前記第１コイルと前記第２コイルとは、互いに直交する方向に巻回されているとともに、
異なる周波数に同調する複数の副アンテナが重ねられて配置されていることを特徴とする請求項６に記載の補助アンテナ装置。
【請求項８】
コアと、このコアに巻きつけられたコイルとを有する主アンテナが設けられた電子機器が所定の状態で設置される設置部と、
板状のコアと、この板状のコアの第１の方向に巻回された第１コイル及び第３コイルと、前記第１の方向とは異なる第２の方向に巻回された第２コイル及び第４コイルとを有する副アンテナとを備え、
前記副アンテナは、前記設置部に前記電子機器が所定の状態で設置された際に、前記設置部における前記電子機器の下方に対応する位置に配置されているとともに、前記副アンテナにおける前記第１コイル及び前記第２コイルは第１の周波数に同調し、前記第３コイル及び前記第４コイルは第２の周波数に同調することを特徴とする補助アンテナ装置。
【請求項９】
前記副アンテナにおける前記第１コイル及び前記第３コイルは、前記第２コイル及び前記第４コイルと互いに直交する方向に巻回されていることを特徴とする請求項８に記載の補助アンテナ装置。
【発明の詳細な説明】
【技術分野】
【０００１】
本発明は、補助アンテナ装置に関する。
【背景技術】
【０００２】
現在、各国（例えばドイツ、イギリス、スイス、日本等）において、時刻データ即ちタイムコード入りの長波標準電波が送出されている。我が国（日本）では、２つの送信所（福島県及び佐賀県）より、４０ｋＨｚ及び６０ｋＨｚの長波標準電波が送出されている。
【０００３】
近年では、そのような標準電波を受信して現在時刻データを修正する、いわゆる電波時計が実用化されている。電波時計は、所定時間毎に、内蔵しているアンテナを介して標準電波を受信し、その標準電波を増幅変調してタイムコードを解読することにより現在時刻を修正している。
このような電波時計が、寸法上の大型化或いは重量の増加を招くことなく確実に時刻修正を行うために、電波時計の外部に配設する補助アンテナ装置が知られている（例えば、特許文献１、特許文献２参照。）。
電波時計の外部に配設された補助アンテナ装置は、電波時計の内蔵アンテナと磁気的に結合することにより、標準電波の受信感度を向上させるようになっている。
【特許文献１】特開２００５−２４１４０３号公報
【特許文献２】特許第３５０６６２５号公報
【発明の開示】
【発明が解決しようとする課題】
【０００４】
しかしながら、上記特許文献１の場合、補助アンテナ装置は、６時−１２時方向に沿った内蔵アンテナを有する電波時計に対応するアンテナ体を備えているため、３時−９時方向に沿った内蔵アンテナを有する電波時計に対する受信感度の向上を図ることはできなかった。
また、上記特許文献２の場合、補助アンテナ装置に備えられるアンテナ体の配置を切り替えることによって、その補助アンテナ装置を、６時−１２時方向に沿った内蔵アンテナを有する電波時計と３時−９時方向に沿った内蔵アンテナを有する電波時計とに対応させることが可能であり、各電波時計に対する受信感度の向上を図ることはできるが、ユーザは、電波時計の内蔵アンテナの向きを把握するとともに、その電波時計に応じて補助アンテナ装置のアンテナ体を付け替えなければならず、煩わしかった。
【０００５】
本発明の課題は、ユーザが電子機器に内蔵されたアンテナの配置を知らなくても、補助アンテナの配置を切り替えることなく標準電波の受信感度を好適に向上させることができる補助アンテナ装置を提供することである。
【課題を解決するための手段】
【０００６】
本発明は、以上の課題を解決するため、以下のような構成要素を備えている。なお、以下に示す構成要素には、括弧書きにより実施形態に対応する構成及び図面参照符号を記す。
請求項１に記載の発明は、補助アンテナ装置（例えば、図１〜３、図６〜８、図１０〜１２の補助アンテナ装置１０００、１００１）において、
コア（例えば、図１〜３、図５〜１２のコア１１０）と、このコアに巻きつけられたコイル（例えば、図１〜３、図５〜１２のコイル１２０）とを有する主アンテナ（例えば、図１〜１２の主アンテナ１００）が設けられた電子機器（例えば、図１〜４、図６〜８、図１０〜１２の腕時計１、１ａ）が所定の状態で設置される設置部（例えば、図１〜３、図６〜８、図１０〜１２の載置台３００、３０１）と、
コア（例えば、図１〜３、図５〜１２のコア２１１、２１２）と、このコアに巻きつけられたコイル（例えば、図１〜３、図５〜１２のコイル２２１ａ、２２１ｂ、２２２ａ、２２２ｂ）とを夫々有する複数の副アンテナ（例えば、図１〜３、図５〜１２の副アンテナ２０１、２０２）と、を備え、
前記複数の副アンテナは、各副アンテナのコアの軸線方向の成す角度θが、０°＜θ＜１８０°となるように前記設置部に配置されていることを特徴とする。
【０００７】
請求項２に記載の発明は、補助アンテナ装置（例えば、図１〜３、図６〜８、図１０〜１２の補助アンテナ装置１０００、１００１）において、
コア（例えば、図１〜３、図５〜１２のコア１１０）と、このコアに巻きつけられたコイル（例えば、図１〜３、図５〜１２のコイル１２０）とを有する主アンテナ（例えば、図１〜１２の主アンテナ１００）が、そのコアの軸線方向が６時−１２時方向又は３時−９時方向の何れか一方に沿うように設けられた電波腕時計（例えば、図１〜４、図６〜８、図１０〜１２の腕時計１、１ａ）が所定の状態で設置される設置部（例えば、図１〜３、図６〜８、図１０〜１２の載置台３００、３０１）と、
コア（例えば、図１〜３、図５〜１２のコア２１１、２１２）と、このコアに巻きつけられたコイル（例えば、図１〜３、図５〜１２のコイル２２１ａ、２２１ｂ、２２２ａ、２２２ｂ）とを夫々有する複数の副アンテナ（例えば、図１〜３、図５〜１２の副アンテナ２０１、２０２）と、を備え、
前記複数の副アンテナは、各副アンテナのコアの軸線方向の成す角度θが、０°＜θ＜１８０°となるように前記設置部に配置されていることを特徴とする。
【０００８】
請求項３に記載の発明は、請求項１又は２に記載の補助アンテナ装置（例えば、図１〜３、図６〜８の補助アンテナ装置１０００）において、
前記複数の副アンテナは、各副アンテナのコアが、その軸線方向の延長において垂直に交差するように前記設置部に配置されていることを特徴とする。
【０００９】
請求項４に記載の発明は、請求項１又は２に記載の補助アンテナ装置（例えば、図１０〜１２の補助アンテナ装置１００１）において、
前記複数の副アンテナは、各副アンテナのコアの軸線が垂直に交差するように前記設置部に配置されていることを特徴とする。
【００１０】
請求項５に記載の発明は、請求項１〜４のいずれか一項に記載の補助アンテナ装置（例えば、図１〜３、図６〜８、図１０〜１２の補助アンテナ装置１０００、１００１）において、
前記複数の副アンテナは、各副アンテナのコアにそれぞれ異なる周波数に同調する複数のコイル（例えば、図１〜３、図５〜１２のコイル２２１ａ、２２１ｂ、２２２ａ、２２２ｂ）を有することを特徴とする。
【００１４】
請求項６に記載の発明は、補助アンテナ装置（例えば、図１８〜２０の補助アンテナ装置１００３、図２４の補助アンテナ装置１００４）において、
コア（例えば、図２０、２２〜２４のコア１１０）と、このコアに巻きつけられたコイル（例えば、図２０、２２〜２４のコイル１２０）とを有する主アンテナ（例えば、図１８〜２０、図２２〜２４の主アンテナ１００）が設けられた電子機器（例えば、図１８〜２０、図２４の腕時計１）が所定の状態で設置される設置部（例えば、図１８〜２０の載置台３０３、図２４の載置台３０４）と、
板状のコア（例えば、図１８〜２３のコア２１４、図２４のコア２１５）と、この板状のコアの第１の方向に巻回された第１コイル（例えば、図１８〜２３のコイル２２４ａ、図２４のコイル２２５ａ）と、前記第１の方向とは異なる第２の方向に巻回された第２コイル（例えば、図１８〜２３のコイル２２４ｂ、図２４のコイル２２５ｂ）とを有する副アンテナ（例えば、図１８〜２３の副アンテナ２０４、図２４の副アンテナ２０５）とを備え、
前記副アンテナは、前記設置部に前記電子機器が所定の状態で設置された際に、前記設置部における前記電子機器の下方に対応する位置に配置されていることを特徴とする。
【００１５】
請求項７に記載の発明は、請求項６に記載の補助アンテナ装置（例えば、図２４の補助アンテナ装置１００４）において、
前記副アンテナにおける前記第１コイルと前記第２コイルとは、互いに直交する方向に巻回されているとともに、
異なる周波数に同調する複数の副アンテナ（例えば、図２４の副アンテナ２０４、２０５）が重ねられて配置されていることを特徴とする。
【００１６】
請求項８に記載の発明は、補助アンテナ装置において、
コアと、このコアに巻きつけられたコイルとを有する主アンテナが設けられた電子機器が所定の状態で設置される設置部と、
板状のコア（例えバ、図２５のコア２１６）と、この板状のコアの第１の方向に巻回された第１コイル（例えば、図２５のコイル２２６１）及び第３コイル（例えば、図２５のコイル２２６３）と、前記第１の方向とは異なる第２の方向に巻回された第２コイル（例えば、図２５のコイル２２６２）及び第４コイル（例えば、図２５のコイル２２６４）とを有する副アンテナ（例えば、図２５の副アンテナ２０６）とを備え、
前記副アンテナは、前記設置部に前記電子機器が所定の状態で設置された際に、前記設置部における前記電子機器の下方に対応する位置に配置されているとともに、前記副アンテナにおける前記第１コイル及び前記第２コイルは第１の周波数に同調し、前記第３コイル及び前記第４コイルは第２の周波数に同調することを特徴とする。
【００１７】
請求項９に記載の発明は、請求項８に記載の補助アンテナ装置において、
前記副アンテナにおける前記第１コイル及び前記第３コイルは、前記第２コイル及び前記第４コイルと互いに直交する方向に巻回されていることを特徴とする。
【発明の効果】
【００１８】
請求項１に記載の発明によれば、主アンテナが設けられた電子機器を、設置部に所定の状態で設置することにより、所定の周波数に同調することができる複数の副アンテナが電子機器の主アンテナに位置合わせされる。
特に、各副アンテナのコアの軸線方向の成す角度θが、０°＜θ＜１８０°となるように、各副アンテナが設置部に配置されているので、一方の副アンテナが主アンテナに対し９０°の角度を成してしまい、その副アンテナが主アンテナと磁気的に結合することができなくても、他方の副アンテナが主アンテナと磁気的に結合することができるようになっている。
【００１９】
そして、電子機器は主アンテナのみでも電波の受信は可能であるが、副アンテナが主アンテナと磁気的に結合する配置にあれば、副アンテナは主アンテナの電波の受信感度を向上させることができる。
具体的には、副アンテナを標準電波などの信号磁界中に置くと、信号磁束が副アンテナのコアに集中して副アンテナのコイルと鎖交し、コイルには、コイル内部を通過する信号磁束の変化を妨げる向きに発生磁束が発生する。そして、副アンテナのコイルに生じた発生磁束が、磁気的に結合している主アンテナのコイルに生じる誘導起電力をより増大させることにより、主アンテナが単独で電波を受信する場合に比べて、受信感度が向上する。
【００２０】
このような複数の副アンテナを備える補助アンテナ装置は、各副アンテナが主アンテナの受信感度を向上させることができ、その補助アンテナ装置の設置部に設置された電子機器における電波の受信感度を向上させることができる。
つまり、補助アンテナ装置は、どのような配置の主アンテナを有する電子機器であっても、標準電波の受信感度を向上させることができる。
そのため、ユーザは、電子機器における主アンテナの向きや配置を把握する必要がなく、また、副アンテナの配置を切り替えることなく、その電子機器を補助アンテナ装置の設置部に単に載置することによって、電子機器の標準電波の受信感度を向上させることが可能になる。
【００２１】
請求項２に記載の発明によれば、主アンテナが設けられた電波腕時計を、設置部に所定の状態で設置することにより、所定の周波数に同調することができる複数の副アンテナが電波腕時計の主アンテナに位置合わせされる。
特に、各副アンテナのコアの軸線方向の成す角度θが、０°＜θ＜１８０°となるように、各副アンテナが設置部に配置されているので、一方の副アンテナが主アンテナに対し９０°の角度を成してしまい、その副アンテナが主アンテナと磁気的に結合することができなくても、他方の副アンテナが主アンテナと磁気的に結合することができるようになっている。
【００２２】
そして、電波腕時計は主アンテナのみでも電波の受信は可能であるが、副アンテナが主アンテナと磁気的に結合する配置にあれば、副アンテナは主アンテナの電波の受信感度を向上させることができる。
具体的には、副アンテナを標準電波などの信号磁界中に置くと、信号磁束が副アンテナのコアに集中して副アンテナのコイルと鎖交し、コイルには、コイル内部を通過する信号磁束の変化を妨げる向きに発生磁束が発生する。そして、副アンテナのコイルに生じた発生磁束が、磁気的に結合している主アンテナのコイルに生じる誘導起電力をより増大させることにより、主アンテナが単独で電波を受信する場合に比べて、受信感度が向上する。
【００２３】
このような複数の副アンテナを備える補助アンテナ装置は、各副アンテナが主アンテナの受信感度を向上させることができ、その補助アンテナ装置の設置部に設置された電波腕時計における電波の受信感度を向上させることができる。
つまり、補助アンテナ装置は、どのような配置の主アンテナを有する電波腕時計であっても、標準電波の受信感度を向上させることができる。
そのため、ユーザは、電波腕時計における主アンテナの向きや配置を把握する必要がなく、また、副アンテナの配置を切り替えることなく、その電波腕時計を補助アンテナ装置の設置部に単に載置することによって、電波腕時計の標準電波の受信感度を向上させることが可能になる。
【００２４】
請求項３に記載の発明によれば、請求項１又は２に記載の発明と同様の効果が得られることは無論のこと、補助アンテナ装置の複数の副アンテナは、各副アンテナのコアが、その軸線方向の延長において垂直に交差するように設置部に配置されているので、一方の副アンテナが主アンテナに対し９０°の角度を成してしまい、その副アンテナが主アンテナと磁気的に結合することができなくても、他方の副アンテナが主アンテナに対し１８０°の角度を成すことができる。
つまり、その他方の副アンテナが主アンテナと良好に磁気的に結合することができるようになるので、補助アンテナ装置は、主アンテナを有する電波腕時計などの電子機器における標準電波の受信感度を向上させることができる。
【００２５】
請求項４に記載の発明によれば、請求項１又は２に記載の発明と同様の効果が得られることは無論のこと、補助アンテナ装置の複数の副アンテナは、各副アンテナのコアの軸線が垂直に交差するように設置部に配置されているので、一方の副アンテナが主アンテナに対し９０°の角度を成してしまい、その副アンテナが主アンテナと磁気的に結合することができなくても、他方の副アンテナが主アンテナに対し１８０°の角度を成すことができる。
つまり、その他方の副アンテナが主アンテナと良好に磁気的に結合することができるようになるので、補助アンテナ装置は、主アンテナを有する電波腕時計などの電子機器における標準電波の受信感度を向上させることができる。
【００２６】
請求項５に記載の発明によれば、請求項１〜４のいずれか一項に記載の発明と同様の効果が得られることは無論のこと、補助アンテナ装置の複数の副アンテナは、各副アンテナのコアにそれぞれ異なる周波数に同調する複数のコイルを有するので、各副アンテナは、それぞれコイルに応じて異なる周波数の電波に同調することができ、異なる周波数を有する複数の電波を受信することができる。
よって、補助アンテナ装置は、複数の周波数に対応する複数の電波を感度よく受信することができ、主アンテナが設けられた電波腕時計などの電子機器における複数の電波の受信感度を向上させることができる。
【００３４】
請求項６に記載の発明によれば、主アンテナが設けられた電子機器を、設置部に所定の状態で設置することにより、所定の周波数に同調することができる副アンテナが、第１の方向に巻回された第１コイルと、第１の方向とは異なる第２の方向に巻回された第２コイルとを備えているので、一方のコイルの巻回方向が主アンテナのコイルの巻回方向に対し９０°の角度を成してしまい、その一方のコイルの作用によっては副アンテナが主アンテナと磁気的に結合することができなくても、他方のコイルの作用によって副アンテナが主アンテナと磁気的に結合することができる。
【００３５】
そして、電子機器は主アンテナのみでも電波の受信は可能であるが、副アンテナが主アンテナと磁気的に結合する配置にあれば、副アンテナは主アンテナの電波の受信感度を向上させることができる。
具体的には、副アンテナを標準電波などの信号磁界中に置くと、信号磁束が副アンテナのコアに集中して副アンテナのコイルと鎖交し、コイルには、コイル内部を通過する信号磁束の変化を妨げる向きに発生磁束が発生する。そして、副アンテナのコイルに生じた発生磁束のうち、主アンテナと平行な方向の発生磁束の成分が、磁気的に結合している主アンテナのコイルに生じる誘導起電力をより増大させることにより、主アンテナが単独で電波を受信する場合に比べて、受信感度が向上する。
【００３６】
このような副アンテナを備える補助アンテナ装置は、副アンテナが主アンテナの受信感度を向上させることができ、その補助アンテナ装置の設置部に設置された電子機器における電波の受信感度を向上させることができる。
そして、補助アンテナ装置は、どのような配置の主アンテナを有する電子機器であっても、標準電波の受信感度を向上させることができる。
そのため、ユーザは、電子機器における主アンテナの向きや配置を把握する必要がなく、また、副アンテナの配置を切り替えることなく、その電子機器を補助アンテナ装置の設置部に単に載置することによって、電子機器の標準電波の受信感度を向上させることが可能になる。
【００３７】
請求項７に記載の発明によれば、請求項６に記載の発明と同様の効果が得られることは無論のこと、補助アンテナ装置の副アンテナにおける第１コイルと第２コイルとは、互いに直交する方向に巻回されているので、一方のコイルの巻回方向が主アンテナのコイルの巻回方向に対し９０°の角度を成してしまい、その一方のコイルの作用によっては副アンテナが主アンテナと磁気的に結合することができなくても、他方のコイルの巻回方向が主アンテナのコイルの巻回方向に対し１８０°の角度（平行となる角度）を成し、その他方のコイルの作用によって副アンテナが主アンテナと磁気的に結合することができる。
よって、このような副アンテナを備える補助アンテナ装置は、主アンテナを有する電波腕時計などの電子機器における電波の受信感度をより好適に向上させることができる。
【００３８】
また、この補助アンテナ装置には、異なる周波数に同調する複数の副アンテナが重ねられて配置されているので、複数の周波数に対応する複数の電波を感度よく受信することができ、主アンテナが設けられた電波腕時計などの電子機器における複数の電波の受信感度を向上させることができる。
【００３９】
請求項８に記載の発明によれば、主アンテナが設けられた電子機器を、設置部に所定の状態で設置することにより、所定の周波数に同調することができる副アンテナが、第１の方向に巻回された第１コイル及び第３コイルと、第１の方向とは異なる第２の方向に巻回された第２コイル及び第４コイルとを備えているので、一方のコイルの巻回方向が主アンテナのコイルの巻回方向に対し９０°の角度を成してしまい、その一方のコイルの作用によっては副アンテナが主アンテナと磁気的に結合することができなくても、他方のコイルの作用によって副アンテナが主アンテナと磁気的に結合することができる。
また、副アンテナにおける第１コイル及び第２コイルは第１の周波数に同調し、第３コイル及び第４コイルは第２の周波数に同調するようになっているので、副アンテナは、それぞれコイルに応じて第１の周波数と第２の周波数の電波に同調することができ、異なる周波数を有する複数の電波を受信することができる。
【００４０】
そして、電子機器は主アンテナのみでも電波の受信は可能であるが、副アンテナが主アンテナと磁気的に結合する配置にあれば、副アンテナは主アンテナの電波の受信感度を向上させることができる。
具体的には、副アンテナを標準電波などの信号磁界中に置くと、信号磁束が副アンテナのコアに集中して副アンテナのコイルと鎖交し、コイルには、コイル内部を通過する信号磁束の変化を妨げる向きに発生磁束が発生する。そして、副アンテナのコイルに生じた発生磁束のうち、主アンテナと平行な方向の発生磁束の成分が、磁気的に結合している主アンテナのコイルに生じる誘導起電力をより増大させることにより、主アンテナが単独で電波を受信する場合に比べて、受信感度が向上する。
【００４１】
このような副アンテナを備える補助アンテナ装置は、複数の周波数に対応する複数の電波を感度よく受信することができ、その補助アンテナ装置の設置部に設置された電子機器における電波の受信感度を向上させることができる。
そして、補助アンテナ装置は、どのような配置の主アンテナを有する電子機器であっても、標準電波の受信感度を向上させることができる。
そのため、ユーザは、電子機器における主アンテナの向きや配置を把握する必要がなく、また、副アンテナの配置を切り替えることなく、その電子機器を補助アンテナ装置の設置部に単に載置することによって、電子機器の標準電波の受信感度を向上させることが可能になる。
【００４２】
請求項９に記載の発明によれば、請求項８に記載の発明と同様の効果が得られることは無論のこと、副アンテナにおける第１コイル及び第３コイルは、第２コイル及び第４コイルと互いに直交する方向に巻回されているので、例えば、第１コイル及び第３コイルの巻回方向が主アンテナのコイルの巻回方向に対し９０°の角度を成してしまい、それらのコイルの作用によっては副アンテナが主アンテナと磁気的に結合することができなくても、第２コイル及び第４コイルの巻回方向が主アンテナのコイルの巻回方向に対し１８０°の角度（平行となる角度）を成し、それらのコイルの作用によって副アンテナが主アンテナと磁気的に結合することができる。
よって、このような副アンテナを備える補助アンテナ装置は、主アンテナを有する電波腕時計などの電子機器における電波の受信感度をより好適に向上させることができる。
【発明を実施するための最良の形態】
【００４３】
以下、図面を参照して、本発明に係る補助アンテナ装置の最良の実施形態について詳細に説明する。なお、本実施形態においては、電子機器として電波腕時計（以下、腕時計）を例に挙げて説明する。
また、説明の簡明のため、各図面においては、各アンテナのコイルの径を太くし、巻回数を少なく図示している。
【００４４】
（実施形態１）
図１は、腕時計１ａが設置部である載置台３００に所定の状態で設置されている状態を示す斜視図である。
図１に示すように、腕時計１ａは、主アンテナ１００を内蔵し、標準電波を受信して現在時刻データを修正する電波時計である。
また、補助アンテナ装置１０００は、載置台３００と副アンテナ２０１、２０２を備えている。
この腕時計１ａを補助アンテナ装置１０００の載置台３００に載置して係着させた際に、主アンテナ１００と副アンテナ２０１又は副アンテナ２０２とが位置合わせされることにより、標準電波の受信感度が向上するようになっている。
【００４５】
〔腕時計及びアンテナの構成〕
図２は、載置台３００に係着される腕時計１ａの拡大正面図であり、図３は、図２のIII−III線における要部の拡大断面図である。図４は、腕時計１ａの内部構成を示すブロック図である。
【００４６】
図１から図３に示すように、腕時計１ａには主アンテナ１００が内蔵されており、載置台３００には副アンテナ２０１、２０２が内蔵されている。
載置台３００は、腕時計１ａを使用しない際に載置して保管するための台であり、載置台３００には、腕時計１ａの外形に沿った載置溝３００ａが形成されている。
この腕時計１ａを、その載置溝３００ａに合わせて載置して設置することにより、腕時計１ａが載置台３００に係着するとともに、主アンテナ１００と、副アンテナ２０１と副アンテナ２０２の何れか一方とが位置合わせされる。そして、その主アンテナ１００と位置合わせされた副アンテナ２０１又は副アンテナ２０２とが磁気的に結合するようになっている。
この実施形態においては、図１から図３に示すように、腕時計１ａに内蔵される主アンテナ１００は、そのコア１１０の軸線方向が、時計の６時−１２時方向に沿って設けられている。また、載置台３００に載置された腕時計１ａに内蔵される主アンテナ１００に対し、一方の副アンテナ２０１が平行に配置され、他方の副アンテナ２０２が垂直に配置されるように、副アンテナ２０１、２０２は載置台３００に備えられている。
特に、副アンテナ２０１、２０２は、その主アンテナ１００のコア１１０の軸線方向に対して、そのコアの軸線方向がそれぞれ異なる角度をなしている。具体的には、主アンテナ１００のコア１１０の軸線方向に対して、副アンテナ２０１のコア２１１の軸線方向は０°をなし、また、主アンテナ１００のコア１１０の軸線方向に対して、副アンテナ２０２のコア２１２の軸線方向は９０°をなしている。
【００４７】
なお、副アンテナ２０１、２０２は、副アンテナ２０１、２０２のコア２１１、２１２の軸線方向の成す角度θが、０°＜θ＜１８０°となるように載置台３００に配置されることが好ましく、特に、９０°の角度を成すことが好ましい。
そして、この補助アンテナ装置１０００においては、副アンテナ２０１のコア２１１と副アンテナ２０２のコア２１２とが、その軸線方向の延長において垂直に交差するように載置台３００に配設されている。つまり、副アンテナ２０１と副アンテナ２０２とは、そのコア２１１とコア２１２とが交差することなく、コア２１１とコア２１２の軸線の延長線同士が直交することによって、略Ｌ字形状を呈するように配設されている。
【００４８】
〔腕時計〕
腕時計１ａは、図１から図４に示すように、時計計時部４を内部に収納する樹脂成形された時計ケース２を備え、時計ケース２には、これをユーザの手首に装着するためのバンド部材８が取り付けられている。
【００４９】
時計ケース２の上面中央には、文字板５を視認可能なように時計ガラス２ａがパッキン２ｂを介して嵌められ、時計ケース２の周囲には、腕時計１ａの各種機能の実行を指示するためのスイッチ３が設けられている。また、時計ケース２の上部外周には外装部材としてのベゼル２ｆが設けられ、時計ケース２の底面には、金属成形された裏蓋２ｃが防水リング２ｄを介して取り付けられている。
【００５０】
時計計時部４は、上部ハウジング部４ａや下部ハウジング部４ｂ、時針や分針等の指針７ｂを文字板５上で運針させるアナログ指針機構７、標準電波を受信する主アンテナ１００、アナログ指針機構７や主アンテナ１００を接続してこれらを制御する回路基板６を備えている。また、時計計時部４と裏蓋２ｃの間には、緩衝部材２ｅが備えられている。
上部ハウジング部４ａ、下部ハウジング部４ｂ、文字板５は、それぞれの周縁部が時計ケース２の内側周面に設けられている中枠２ｇに取り付けられた構造となっている。そして、下部ハウジング部４ｂと上部ハウジング部４ａとの間に回路基板６が配置されている。また、上部ハウジング部４ａの上面に文字板５が配置され、この文字板５の上面周縁部には、枠状部材５ｂが、時計ガラス２ａの下面周縁部に当接した状態で配置されている。
【００５１】
アナログ指針機構７は、文字板５に形成された軸孔５ａからその上方に延びる指針軸７ａと、指針軸７ａに取り付けられた時針、分針等の指針７ｂとを有し、指針７ｂを文字板５の上方で運針させる。アナログ指針機構７（腕時計１ａ）を動作させるための電池（図示省略）は、例えば下部ハウジング部４ｂに組み込まれている。
【００５２】
主アンテナ１００は、図３に示されるように、回路基板６と文字板５との間のアンテナ収容部１００ａにおいて、主アンテナ１００（コア１１０）の長手方向の軸線が裏蓋２ｃ（或いは文字板５）と平行になるよう、上部ハウジング部４ａに支持されて配置されている。
また、主アンテナ１００のコイル１２０の端部１２０ａは、回路基板６に接続されている。そして、主アンテナ１００のコイル１２０に生じる誘導起電力を検出する受信回路（図示省略）は、回路基板６上に実装されている。
【００５３】
また、腕時計１ａは、図４に示すように、ＣＰＵ１０と、入力部２０と、表示部３０と、ＲＯＭ４０と、ＲＡＭ５０と、受信制御部６０と、タイムコード変換部７０と、計時回路部８０と、発振回路部８２と、を備えて構成されている。また、発振回路部８２を除く各部はバスＢによって接続され、発振回路部８２は計時回路部８０に接続されている。
【００５４】
ＣＰＵ１０は、所定のタイミング或いは入力部２０から入力された操作信号に応じてＲＯＭ４０に格納されたプログラムを読み出してＲＡＭ５０に展開し、該プログラムに基づいて腕時計１ａを構成する各部への指示やデータの転送等を行う。具体的には、例えば所定時間毎に受信制御部６０を制御して標準電波の受信処理を実行し、タイムコード変換部７０から入力された標準タイムコードに基づいて計時回路部８０で計数される現在時刻データを修正する。
また、ＣＰＵ１０は、標準電波の受信処理を実行した際、標準電波を受信できたか否かを判断する制御を行う。
【００５５】
入力部２０は、腕時計１ａの各種機能の実行を指示するためのスイッチ３等であり、これらのスイッチ３が操作されると、対応する操作信号をＣＰＵ１０に出力する。
表示部３０は、文字板５やＣＰＵ１０によって制御されるアナログ指針機構７を含み、計時回路部８０によって計時された現在時刻を表示する。
また、表示部３０は、液晶表示機構や、ＬＥＤ点灯機構を備えてもよく、それらに標準電波の受信状態（例えば、受信良好表示や受信不能表示）を表示するようになっている。
【００５６】
ＲＯＭ４０は、腕時計１ａにかかるシステムプログラムやアプリケーションプログラム、本実施の形態を実現するためのプログラムやデータ等を記憶する。
例えば、ＲＯＭ４０には、所定時間毎に標準電波の受信処理を実行するための受信プログラム４０ａが記憶されている。
また、ＲＯＭ４０には、標準電波の受信に伴い、現在時刻データを修正するための時刻修正プログラム４０ｂが記憶されている。
【００５７】
ＲＡＭ５０は、ＣＰＵ１０の作業領域として用いられ、ＲＯＭ４０から読み出されたプログラムやＣＰＵ１０で処理されたデータ等を一時的に記憶する。
例えば、ＲＡＭ５０には、ＣＰＵ１０の作業領域として用いたり、プログラムやデータ等を一時的に記憶したりするためのデータ格納領域５０ａが形成されている。
【００５８】
受信制御部６０は、電波受信装置６２を備える。電波受信装置６２は主アンテナ１００を有しており、主アンテナ１００で受信した標準電波の不要な周波数成分をカットして該当する周波数信号を取り出し、この周波数信号を対応した電気信号に変換した信号をタイムコード変換部７０へ出力する。
【００５９】
タイムコード変換部７０は、電波受信装置６２から入力された電気信号をデジタル信号に変換し、標準時刻コードや積算コード、曜日コード等の時計機能に必要なデータを含む標準タイムコードを生成してＣＰＵ１０に出力する。
【００６０】
計時回路部８０は、発振回路部８２から入力される信号を計数して現在時刻を計時し、計時した現在時刻データをＣＰＵ１０に出力する。発振回路部８２は、常時一定周波数のクロック信号を出力する回路である。
【００６１】
〔アンテナの構成〕
図５は、補助アンテナ装置１０００の載置台３００に腕時計１ａが載置された際のアンテナの状態を示す説明図であり、本実施の形態の主アンテナ１００と副アンテナ２０１、２０２の配置を示す正面図である。なお、同図において、主アンテナ１００のコイル１１０と受信回路とを接続する導線の図示は省略している。
【００６２】
図５に示すように、主アンテナ１００は、コア１１０と、このコア１１０の中央部分に銅線等を巻きつけて形成したコイル１２０と、により構成されており、腕時計１ａの内部に設けられている。
【００６３】
コア１１０は、略円柱形状の棒状体であり、その中央部分は両端側より径が細く形成された凹部を有し、その凹部に銅線等がコア１１０の両端側の表面とほぼ同じ高さになるように、ほぼ均等な厚みで巻き付けられて、コイル１２０が形成されている。
コア１１０は、電波の受信感度が高い材料、例えばフェライト等、比透磁率が高く且つ電気抵抗が大きい磁性材料により形成される。具体的には、コア１１０は、約1000〜100000程度の比透磁率を有する磁性材料を用いて形成される。このため、コア１１０内部の磁気抵抗は、主アンテナ１００の周辺空間のそれの約1/1000〜1/100000程度と、極めて小さくなっている。
【００６４】
図５に示すように、副アンテナ２０１は、コア２１１と、そのコア２１１の長手方向の中央部分を挟んだ２箇所に銅線等を巻きつけて形成したコイル２２１ａ、２２１ｂと、コイル２２１ａ、２２１ｂにそれぞれ接続された同調コンデンサＣａ、Ｃｂと、により構成されている。また、同様に、副アンテナ２０２は、コア２１２と、そのコア２１２の長手方向の中央部分を挟んだ２箇所に銅線等を巻きつけて形成したコイル２２２ａ、２２２ｂと、コイル２２２ａ、２２２ｂにそれぞれ接続された同調コンデンサＣａ、Ｃｂと、により構成されている。そして、副アンテナ２０１、２０２は、載置台３００の内部に設けられている。
特に、一方の副アンテナ２０１は、腕時計１ａの主アンテナ１００のコア１１０の軸線方向に対して、そのコア２１１の軸線方向が平行となるように載置台３００に配設されており、また、他方の副アンテナ２０２は、腕時計１ａの主アンテナ１００のコア１１０の軸線方向に対して、そのコア２１２の軸線方向が垂直となるように載置台３００に配設されている。
【００６５】
副アンテナ２０１、２０２のコア２１１、２１２は、略円柱形状の棒状体であり、その中央部分を挟んだ２箇所に径が細く形成された凹部を有し、その凹部に銅線等がコア２１１、２１２の両端側の表面とほぼ同じ高さになるように、ほぼ均等な厚みで巻き付けられて、それぞれコイル２２１ａ、２２１ｂと、コイル２２２ａ、２２２ｂとが形成されている。なお、副アンテナ２０１、２０２のコア２１１、２１２の軸線方向の長さは、主アンテナ１００のコア１１０の軸線方向の長さよりも長く、また、コア２１１、２１２の径は、コア１１０の径よりも太い径を有することが、電波の受信感度を向上させる上で好ましい。
また、副アンテナ２０１、２０２のコア２１１、２１２は、電波の受信感度が高い材料、例えばフェライト等の磁性材料により形成されており、特に、主アンテナ１００のコア１１０と同じ磁性材料であることが好ましい。
【００６６】
同調コンデンサＣａ、Ｃｂは、コイル２２１ａと２２１ｂ、コイル２２２ａと２２２ｂとを、それぞれ異なる周波数の電波に同調させるためのコンデンサであり、例えば、コイル２２１ａ、コイル２２２ａは４０ｋＨｚの標準電波、コイル２２１ｂ、コイル２２２ｂは６０ｋＨｚの標準電波に同調するようになっている。
そして、副アンテナ２０１は、コア２１１とコイル２２１ａの作用により４０ｋＨｚの標準電波に同調してその４０ｋＨｚの標準電波を受信することと、コア２１１とコイル２２１ｂの作用により６０ｋＨｚの標準電波に同調してその６０ｋＨｚの標準電波を受信することが可能になっている。また、同様に、副アンテナ２０２は、コア２１２とコイル２２２ａの作用により４０ｋＨｚの標準電波に同調してその４０ｋＨｚの標準電波を受信することと、コア２１２とコイル２２２ｂの作用により６０ｋＨｚの標準電波に同調してその６０ｋＨｚの標準電波を受信することが可能になっている。
【００６７】
そして、図５に示すように、主アンテナ１００のコア１１０と、副アンテナ２０１のコア２１１とが、平行に配置されることにより、主アンテナ１００（コア１１０）と副アンテナ２０１（コア２１１）とは、磁気的に結合した状態となっている。
【００６８】
この主アンテナ１００を標準電波による信号磁界中に置くと、信号磁束がコア１１０に集中してコイル１２０と鎖交し、コイル１２０には、コイル１２０内部を通過する信号磁束の変化を妨げる向きに発生磁束が発生する。主アンテナ１００は、この発生磁束に基づきコイル１２０に生じる誘導起電力を検出することにより、標準電波を受信するようになっている。
【００６９】
この誘導起電力の検出は、主アンテナ１００のみでも可能であるが、副アンテナ２０１、２０２が主アンテナ１００と磁気的に結合する配置にあれば、標準電波の受信感度を向上させることができる。
つまり、副アンテナ２０１（副アンテナ２０２）を標準電波による信号磁界中に置くと、信号磁束がコア２１１（コア２１２）に集中してコイル２２１ａ、２２１ｂ（コイル２２２ａ、２２２ｂ）と鎖交し、コイル２２１ａ、２２１ｂ（コイル２２２ａ、２２２ｂ）には、コイル２２１ａ、２２１ｂ（コイル２２２ａ、２２２ｂ）内部を通過する信号磁束の変化を妨げる向きに発生磁束が発生する。そして、副アンテナ２０１（副アンテナ２０２）のコイル２２１ａ、２２１ｂ（コイル２２２ａ、２２２ｂ）に生じた発生磁束が、磁気的に結合している主アンテナ１００のコイル１２０に生じる誘導起電力をより増大させることにより、主アンテナ１００単独で電波を受信する場合に比べて、受信感度が向上するようになっている。
そして、副アンテナ２０１（副アンテナ２０２）は４０ｋＨｚの標準電波と、６０ｋＨｚの標準電波の受信感度を向上させるようになっている。
【００７０】
このように、腕時計１ａは、単独でも標準電波の受信、誘導起電力の検出を行うことができる主アンテナ１００を有するとともに、その主アンテナ１００と磁気的に結合することができる副アンテナ２０１、２０２を備える補助アンテナ装置１０００により標準電波の受信感度を向上させることができる。
よって、腕時計などの電子機器には主アンテナ１００のみを備えることにより、標準電波の受信が可能な電子機器の小型化を図るとともに、補助アンテナ装置１０００の副アンテナ２０１、２０２を小型電子機器における主アンテナ１００に対して所定の位置に配設することにより、主アンテナ１００の受信機能を補うように、標準電波の受信感度を向上させることができる。
【００７１】
そして、本発明にかかる補助アンテナ装置１０００は、載置台３００に載置される腕時計１ａの６時−１２時方向に沿ったコア２１１を有する副アンテナ２０１と、３時−９時方向に沿ったコア２１２を有する副アンテナ２０２とを備えているので、載置台３００に載置される腕時計１ａに内蔵されている６時−１２時方向に沿った主アンテナ１００と、副アンテナ２０１とを磁気的に結合することができ、その副アンテナ２０１によって、主アンテナ１００が標準電波を受信する受信感度を向上させることができる。
つまり、補助アンテナ装置１０００は、腕時計１ａが標準電波を受信する受信感度を向上させることができる。
特に、補助アンテナ装置１０００の副アンテナ２０１は、４０ｋＨｚの標準電波を受信することと、６０ｋＨｚの標準電波を受信することができるので、腕時計１ａ（主アンテナ１００）が受信する４０ｋＨｚの標準電波と、６０ｋＨｚの標準電波の、２種類の電波の受信感度を向上させることができる。
【００７２】
〔変形例〕
なお、本発明の適用は上述した実施形態に限定されることなく、本発明の趣旨を逸脱しない範囲で適宜変更可能である。
なお、腕時計や補助アンテナ装置における同一の構成要素には同一符号を付して説明を省略する。
【００７３】
〔腕時計の変形例〕
腕時計における主アンテナ１００の配置を、以下に示す配置にしてもよい。
図６は、腕時計１が載置台３００に所定の状態で設置されている状態を示す斜視図である。図７は、載置台３００に係着される腕時計１の拡大正面図である。図８は、図７のVIII−VIII線における要部の拡大断面図である。
【００７４】
図６から図８に示すように、腕時計１には主アンテナ１００が内蔵されており、腕時計１は、単独でも標準電波の受信（誘導起電力の検出）を行うことができる。また、載置台３００には副アンテナ２０１、２０２が内蔵されている。
載置台３００は、腕時計１を使用しない際に載置して保管するための台であり、載置台３００には、腕時計１の外形に沿った載置溝３００ａが形成されている。
この腕時計１を、その載置溝３００ａに合わせて載置して設置することにより、腕時計１が載置台３００に係着するとともに、主アンテナ１００と、副アンテナ２０１と副アンテナ２０２の何れか一方とが位置合わせされる。そして、その主アンテナ１００と位置合わせされた副アンテナ２０１又は副アンテナ２０２とが磁気的に結合するようになっている。
【００７５】
ここで、図６から図８に示すように、腕時計１に内蔵される主アンテナ１００は、そのコア１１０の軸線方向が、時計の３時−９時方向に沿って設けられている。また、載置台３００に載置された腕時計１に内蔵される主アンテナ１００に対し、一方の副アンテナ２０１が垂直に配置され、他方の副アンテナ２０２が平行に配置されるように、副アンテナ２０１、２０２は載置台３００に備えられている。
特に、副アンテナ２０１、２０２は、その主アンテナ１００のコア１１０の軸線方向に対して、そのコアの軸線方向がそれぞれ異なる角度をなしている。具体的には、主アンテナ１００のコア１１０の軸線方向に対して、副アンテナ２０１のコア２１１の軸線方向は９０°をなし、また、主アンテナ１００のコア１１０の軸線方向に対して、副アンテナ２０２のコア２１２の軸線方向は０°をなしている。
そして、副アンテナ２０１のコア２１１と副アンテナ２０２のコア２１２とが、その軸線方向の延長において垂直に交差するように載置台３００に配設されている。つまり、副アンテナ２０１と副アンテナ２０２とは、そのコア２１１とコア２１２とが交差することなく、コア２１１とコア２１２の軸線の延長線同士が直交することによって、略Ｌ字形状を呈するように配設されている。
【００７６】
図９は、補助アンテナ装置１０００の載置台３００に腕時計１が載置された際のアンテナの状態を示す説明図であり、主アンテナ１００と副アンテナ２０１、２０２の配置を示す正面図である。
図９に示すように、一方の副アンテナ２０１は、腕時計１の主アンテナ１００のコア１１０の軸線方向に対して、そのコア２１１の軸線方向が垂直となるように載置台３００に配設されており、また、他方の副アンテナ２０２は、腕時計１の主アンテナ１００のコア１１０の軸線方向に対して、そのコア２１２の軸線方向が平行となるように載置台３００に配設されている。
そして、主アンテナ１００のコア１１０と、副アンテナ２０２のコア２１２とが、平行に配置されることにより、主アンテナ１００（コア１１０）と副アンテナ２０２（コア２１２）とは、磁気的に結合した状態となっている。
【００７７】
このように、本発明にかかる補助アンテナ装置１０００は、載置台３００に載置される腕時計１の６時−１２時方向に沿ったコア２１１を有する副アンテナ２０１と、３時−９時方向に沿ったコア２１２を有する副アンテナ２０２とを備えているので、載置台３００に載置される腕時計１に内蔵されている３時−９時方向に沿った主アンテナ１００と、副アンテナ２０２とを磁気的に結合することができ、その副アンテナ２０２によって、主アンテナ１００が標準電波を受信する受信感度を向上させることができる。
つまり、補助アンテナ装置１０００は、腕時計１が標準電波を受信する受信感度を向上させることができる。
特に、補助アンテナ装置１０００の副アンテナ２０２は、４０ｋＨｚの標準電波を受信することと、６０ｋＨｚの標準電波を受信することができるので、腕時計１（主アンテナ１００）が受信する４０ｋＨｚの標準電波と、６０ｋＨｚの標準電波の、２種類の電波の受信感度を向上させることができる。
【００７８】
以上のように、補助アンテナ装置１０００は、載置台３００に載置される腕時計の６時−１２時方向に沿ったコア２１１を有する副アンテナ２０１と、３時−９時方向に沿ったコア２１２を有する副アンテナ２０２とを備えているので、その載置台３００に載置される腕時計が、その腕時計の６時−１２時方向に沿った主アンテナ１００（コア１１０）を有する腕時計１ａであっても、補助アンテナ装置１０００は、その腕時計１ａが標準電波を受信する受信感度を向上させることができ、また、その載置台３００に載置される腕時計が、その腕時計の３時−９時方向に沿った主アンテナ１００（コア１１０）を有する腕時計１であっても、補助アンテナ装置１０００は、その腕時計１が標準電波を受信する受信感度を向上させることができる。
つまり、補助アンテナ装置１０００は、６時−１２時方向に沿った主アンテナ１００（コア１１０）を有する腕時計１ａと、３時−９時方向に沿った主アンテナ１００（コア１１０）を有する腕時計１の、どちらの腕時計に対しても標準電波の受信感度を向上させることができる。
そのため、ユーザは、腕時計における主アンテナ１００の向きや配置を把握する必要がなく、その腕時計（１、１ａ）を補助アンテナ装置１０００の載置台３００に単に載置することによって、それぞれの腕時計（１、１ａ）の標準電波の受信感度を向上させることが可能になり、それぞれの腕時計（１、１ａ）における自動時刻修正を好適に行わせることができる。
【００７９】
（実施形態２）
次に、本発明に係る補助アンテナ装置の実施形態２について、図１０から図１２を用いて説明する。なお、実施形態１と同一の構成要素には同一符号を付して説明を省略する。
【００８０】
補助アンテナ装置における副アンテナを、以下に示す構成にしてもよい。
図１０は、腕時計１が補助アンテナ装置１００１の載置台３０１に所定の状態で設置されている状態を示す斜視図である。図１１は、その載置台３０１に係着される腕時計１の拡大正面図である。図１２は、図１０のXI−XI線における要部の拡大断面図である。
【００８１】
図１０から図１２に示すように、補助アンテナ装置１００１は、載置台３０１と副アンテナ２０１、２０２を備え、その載置台３０１に副アンテナ２０１、２０２が内蔵されている。また、腕時計１には主アンテナ１００が内蔵されている。
この腕時計１を補助アンテナ装置１００１の載置台３０１に載置して係着させた際に、主アンテナ１００と副アンテナ２０１又は副アンテナ２０２とが位置合わせされることにより、標準電波の受信感度が向上するようになっている。
【００８２】
載置台３０１は、腕時計１を使用しない際に載置して保管するための台であり、載置台３０１には、腕時計１の外形に沿った載置溝３００ａが形成されている。
この腕時計１を、その載置溝３００ａに合わせて載置して設置することにより、腕時計１が載置台３０１に係着するとともに、主アンテナ１００と、副アンテナ２０１と副アンテナ２０２の何れか一方とが位置合わせされる。そして、その主アンテナ１００と位置合わせされた副アンテナ２０１又は副アンテナ２０２とが磁気的に結合するようになっている。
【００８３】
ここで、図１０から図１２に示すように、腕時計１に内蔵される主アンテナ１００は、そのコア１１０の軸線方向が、時計の３時−９時方向に沿って設けられている。また、載置台３０１に載置された腕時計１に内蔵される主アンテナ１００に対し、一方の副アンテナ２０１が垂直に配置され、他方の副アンテナ２０２が平行に配置されるように、副アンテナ２０１、２０２は載置台３０１に備えられている。
特に、副アンテナ２０１、２０２は、その主アンテナ１００のコア１１０の軸線方向に対して、そのコアの軸線方向がそれぞれ異なる角度をなしている。具体的には、主アンテナ１００のコア１１０の軸線方向に対して、副アンテナ２０１のコア２１１の軸線方向は９０°をなし、また、主アンテナ１００のコア１１０の軸線方向に対して、副アンテナ２０２のコア２１２の軸線方向は０°をなしている。
そして、副アンテナ２０１のコア２１１の軸線と、副アンテナ２０２のコア２１２の軸線とが、垂直に交差するように、副アンテナ２０１と副アンテナ２０２は載置台３０１に配設されている。つまり、副アンテナ２０１と副アンテナ２０２とは、そのコア２１１とコア２１２とが直交することによって、略十字形状を呈するように配設されている。
なお、副アンテナ２０１と副アンテナ２０２は、載置台３０１に腕時計１が所定の状態で設置された際に、その載置台３０１における腕時計１の下方に対応する位置に配置するように内蔵されており、副アンテナ２０１と副アンテナ２０２とが交差する交点が、腕時計１の指針軸７ａの下方に位置するようになっている。
【００８４】
このように、補助アンテナ装置１００１は、載置台３０１に載置される腕時計１の６時−１２時方向に沿ったコア２１１を有する副アンテナ２０１と、３時−９時方向に沿ったコア２１２を有する副アンテナ２０２とを備えているので、載置台３０１に載置される腕時計１に内蔵されている３時−９時方向に沿った主アンテナ１００と、副アンテナ２０２とを磁気的に結合することができ、その副アンテナ２０２によって、主アンテナ１００が標準電波を受信する受信感度を向上させることができる。
つまり、補助アンテナ装置１００１は、腕時計１が標準電波を受信する受信感度を向上させることができる。
特に、補助アンテナ装置１００１の副アンテナ２０２は、４０ｋＨｚの標準電波を受信することと、６０ｋＨｚの標準電波を受信することができるので、腕時計１（主アンテナ１００）が受信する４０ｋＨｚの標準電波と、６０ｋＨｚの標準電波の、２種類の電波の受信感度を向上させることができる。
【００８５】
また、補助アンテナ装置１００１の載置台３０１に載置される腕時計が、その時計の６時−１２時方向に沿ったコア１１０を有する主アンテナ１００を内蔵する腕時計１ａであっても、その６時−１２時方向に沿った主アンテナ１００と、副アンテナ２０１とを磁気的に結合することができ、その副アンテナ２０１によって、主アンテナ１００が標準電波を受信する受信感度を向上させることができる。つまり、補助アンテナ装置１００１は、腕時計１ａが標準電波を受信する受信感度を向上させることができる。
【００８６】
従って、補助アンテナ装置１００１は、その載置台３０１に載置される腕時計が、その腕時計の６時−１２時方向に沿った主アンテナ１００（コア１１０）を有する腕時計１ａであっても、その腕時計１ａが標準電波を受信する受信感度を向上させることができ、また、その載置台３０１に載置される腕時計が、その腕時計の３時−９時方向に沿った主アンテナ１００（コア１１０）を有する腕時計１であっても、その腕時計１が標準電波を受信する受信感度を向上させることができる。
つまり、補助アンテナ装置１００１は、６時−１２時方向に沿った主アンテナ１００（コア１１０）を有する腕時計１ａと、３時−９時方向に沿った主アンテナ１００（コア１１０）を有する腕時計１の、どちらの腕時計に対しても標準電波の受信感度を向上させることができる。
そのため、ユーザは、腕時計における主アンテナ１００の向きや配置を把握する必要がなく、その腕時計（１、１ａ）を補助アンテナ装置１００１の載置台３０１に単に載置することによって、それぞれの腕時計（１、１ａ）の標準電波の受信感度を向上させることが可能になり、それぞれの腕時計（１、１ａ）における自動時刻修正を好適に行わせることができる。
【００８７】
（実施形態３）
次に、本発明に係る補助アンテナ装置の実施形態３について、図１３から図１７を用いて説明する。なお、実施形態１、２と同一の構成要素には同一符号を付して説明を省略する。
【００８８】
補助アンテナ装置における副アンテナを、以下に示す構成にしてもよい。
図１３は、腕時計１が補助アンテナ装置１００２の載置台３０２に所定の状態で設置されている状態を示す斜視図である。図１４は、その載置台３０２に係着される腕時計１の拡大正面図である。図１５は、図１４のXV−XV線における要部の拡大断面図である。
図１６は、補助アンテナ装置１００２の載置台３０２に腕時計１が載置された際のアンテナの状態を示す説明図であり、主アンテナ１００と副アンテナ２０３の配置を示す正面図である。
【００８９】
図１３から図１５に示すように、補助アンテナ装置１００２は、載置台３０２と副アンテナ２０３を備え、その載置台３０２に副アンテナ２０３が内蔵されている。また、腕時計１には主アンテナ１００が内蔵されている。
【００９０】
載置台３０２は、腕時計１を使用しない際に載置して保管するための台であり、載置台３０２には、腕時計１の外形に沿った載置溝３００ａが形成されている。
この腕時計１を、その載置溝３００ａに合わせて載置して設置することにより、腕時計１が載置台３０２に係着するとともに、主アンテナ１００と、副アンテナ２０３とが磁気的に結合し、標準電波の受信感度が向上するようになっている。
【００９１】
ここで、図１３から図１５に示すように、腕時計１に内蔵される主アンテナ１００は、そのコア１１０の軸線方向が、時計の３時−９時方向に沿って設けられている。
また、載置台３０２に腕時計１が所定の状態で設置された際に、その腕時計１に内蔵される主アンテナ１００のコア１１０の軸線方向に対し、副アンテナ２０３のコア２１３の軸線方向は、４５°の角度をなすように、副アンテナ２０３は載置台３０２に備えられている。なお、載置台３０２に載置された腕時計１に内蔵される主アンテナ１００のコア１１０の軸線方向に対し、副アンテナ２０３のコア２１３の軸線方向は、０°以上９０°未満の角度をなすことが好ましく、特に４５°の角度をなす状態であることが好ましい。
【００９２】
そして、副アンテナ２０３は、載置台３０２に腕時計１が所定の状態で設置された際に、その載置台３０２における腕時計１の下方に対応する位置に配置するように内蔵されており、副アンテナ２０３の長手方向の中心が、腕時計１の指針軸７ａの下方に位置するようになっている。
また、副アンテナ２０３のコア２１３の軸線と、主アンテナ１００のコア１１０の軸線とが交差するようになっている。
【００９３】
副アンテナ２０３は、コア２１３と、そのコア２１３の長手方向の中央部分を挟んだ２箇所に銅線等を巻きつけて形成したコイル２２３ａ、２２３ｂと、コイル２２３ａ、２２３ｂにそれぞれ接続された同調コンデンサＣａ、Ｃｂと、により構成されている。
副アンテナ２０３のコア２１３は、略円柱形状の棒状体であり、その中央部分を挟んだ２箇所に径が細く形成された凹部を有し、その凹部に銅線等がコア２１３の両端側の表面とほぼ同じ高さになるように、ほぼ均等な厚みで巻き付けられて、それぞれコイル２２３ａ、２２３ｂとが形成されている。なお、副アンテナ２０３のコア２１３の軸線方向の長さは、主アンテナ１００のコア１１０の軸線方向の長さよりも長く、また、コア２１３の径は、コア１１０の径よりも太い径を有することが、電波の受信感度を向上させる上で好ましい。
また、副アンテナ２０３のコア２１３は、電波の受信感度が高い材料、例えばフェライト等の磁性材料により形成されており、特に、主アンテナ１００のコア１１０と同じ磁性材料であることが好ましい。
【００９４】
同調コンデンサＣａ、Ｃｂは、コイル２２３ａと２２３ｂを、それぞれ異なる周波数の電波に同調させるためのコンデンサであり、例えば、コイル２２３ａは４０ｋＨｚの標準電波、コイル２２３ｂは６０ｋＨｚの標準電波に同調するようになっている。
そして、副アンテナ２０３は、コア２１３とコイル２２３ａの作用により４０ｋＨｚの標準電波に同調してその４０ｋＨｚの標準電波を受信することと、コア２１３とコイル２２３ｂの作用により６０ｋＨｚの標準電波に同調してその６０ｋＨｚの標準電波を受信することが可能になっている。
【００９５】
そして、図１６に示すように、主アンテナ１００のコア１１０と、副アンテナ２０３のコア２１３とは、磁気的に結合可能となっている。
具体的には、図１７に示すように、副アンテナ２０３を標準電波による信号磁界中に置くと、信号磁束がコア２１３に集中してコイル２２３ａ、２２３ｂと鎖交し、コイル２２３ａ、２２３ｂには、コイル２２３ａ、２２３ｂ内部を通過する信号磁束の変化を妨げる向きに発生磁束が発生する。そして、副アンテナ２０３のコイル２２３ａ、２２３ｂに生じた発生磁束のうち、主アンテナ１００のコア１１０の軸線方向に沿った発生磁束の成分が、主アンテナ１００のコイル１２０に生じる誘導起電力をより増大させることにより、主アンテナ１００単独で電波を受信する場合に比べて、受信感度が向上するようになっている。
なお、主アンテナ１００のコア１１０の軸線方向に対し、副アンテナのコアの軸線方向が０°の角度をなす際に、その副アンテナが主アンテナ１００の受信感度を１００％向上させると仮定した場合、本発明の実施形態３における副アンテナ２０３のコア２１３の軸線方向は、主アンテナ１００のコア１１０の軸線方向に対して４５°の角度をなしているので、この副アンテナ２０３は、その主アンテナ１００の受信感度を（ｃｏｓ４５°）×１００％＝（√２／２）×１００％（約７０％）向上させることができるといえる。
そして、副アンテナ２０３は、同調コンデンサＣａ、Ｃｂを備えているので、４０ｋＨｚの標準電波と、６０ｋＨｚの標準電波の受信感度をそれぞれ約７０％向上させるようになっている。
【００９６】
このように、補助アンテナ装置１００２は、載置台３０２に載置される腕時計１の主アンテナ１００のコア１１０に対して、４５°の角度をなすコア２１３を有する副アンテナ２０３を備えているので、腕時計１に内蔵されている３時−９時方向に沿った主アンテナ１００と、副アンテナ２０３の３時−９時方向の成分とを磁気的に結合することができ、その副アンテナ２０３によって、主アンテナ１００が標準電波を受信する受信感度を向上させることができる。
つまり、補助アンテナ装置１００２は、腕時計１が標準電波を受信する受信感度を向上させることができる。
特に、補助アンテナ装置１００２の副アンテナ２０２は、４０ｋＨｚの標準電波を受信することと、６０ｋＨｚの標準電波を受信することができるので、腕時計１（主アンテナ１００）が受信する４０ｋＨｚの標準電波と、６０ｋＨｚの標準電波の、２種類の電波の受信感度を向上させることができる。
【００９７】
また、補助アンテナ装置１００２の載置台３０２に載置される腕時計が、その時計の６時−１２時方向に沿ったコア１１０を有する主アンテナ１００を内蔵する腕時計１ａであっても、その６時−１２時方向に沿った主アンテナ１００と、副アンテナ２０３の６時−１２時方向の成分とを磁気的に結合することができ、その副アンテナ２０３によって、主アンテナ１００が標準電波を受信する受信感度を向上させることができる。つまり、補助アンテナ装置１００２は、腕時計１ａが標準電波を受信する受信感度を向上させることができる。
【００９８】
従って、補助アンテナ装置１００２は、その載置台３０２に載置される腕時計が、その腕時計の６時−１２時方向に沿った主アンテナ１００（コア１１０）を有する腕時計１ａであっても、その腕時計１ａが標準電波を受信する受信感度を向上させることができ、また、その載置台３０２に載置される腕時計が、その腕時計の３時−９時方向に沿った主アンテナ１００（コア１１０）を有する腕時計１であっても、その腕時計１が標準電波を受信する受信感度を向上させることができる。
つまり、補助アンテナ装置１００２は、６時−１２時方向に沿った主アンテナ１００（コア１１０）を有する腕時計１ａと、３時−９時方向に沿った主アンテナ１００（コア１１０）を有する腕時計１の、どちらの腕時計に対しても標準電波の受信感度を向上させることができる。
そのため、ユーザは、腕時計における主アンテナ１００の向きや配置を把握する必要がなく、その腕時計（１、１ａ）を補助アンテナ装置１００２の載置台３０２に単に載置することによって、それぞれの腕時計（１、１ａ）の標準電波の受信感度を向上させることが可能になり、それぞれの腕時計（１、１ａ）における自動時刻修正を好適に行わせることができる。
【００９９】
（実施形態４）
次に、本発明に係る補助アンテナ装置の実施形態４について、図１８から図２３を用いて説明する。なお、実施形態１〜３と同一の構成要素には同一符号を付して説明を省略する。
【０１００】
補助アンテナ装置における副アンテナを、以下に示す構成にしてもよい。
図１８は、腕時計１が補助アンテナ装置１００３の載置台３０３に所定の状態で設置されている状態を示す斜視図である。図１９は、腕時計１が補助アンテナ装置１００３の載置台３０３に所定の状態で設置されている状態を示す拡大正面図である。図２０は、図１９のXX−XX線における要部の拡大断面図である。図２１は、補助アンテナ装置１００３の載置台３０３に配設される副アンテナ２０４を示す説明図である。
【０１０１】
図１８から図２１に示すように、補助アンテナ装置１００３は、載置台３０３と副アンテナ２０４を備え、その載置台３０３に副アンテナ２０４が内蔵されている。また、腕時計１には主アンテナ１００が内蔵されている。
【０１０２】
載置台３０３は、腕時計１を使用しない際に載置して保管するための台であり、載置台３０３には、腕時計１の外形に沿った載置溝３００ａが形成されている。
この腕時計１を、その載置溝３００ａに合わせて載置して設置することにより、腕時計１が載置台３０３に係着するとともに、主アンテナ１００と、副アンテナ２０４とが磁気的に結合し、標準電波の受信感度が向上するようになっている。なお、腕時計１に内蔵される主アンテナ１００は、そのコア１１０の軸線方向が、時計の３時−９時方向に沿って設けられている。
【０１０３】
図２１（ａ）に示すように、副アンテナ２０４は、コア２１４と、そのコア２１４の縦方向と横方向とにそれぞれ銅線等を巻きつけて形成したコイル２２４ａ、２２４ｂと、コイル２２４ａ、２２４ｂにそれぞれ接続された同調コンデンサＣａと、により構成されている。
そして、副アンテナ２０４は、載置台３０３の内部であって、その載置台３０３に腕時計１が所定の状態で設置された際に、載置台３０３における腕時計１の下方に対応する位置に配設されている。
【０１０４】
特に、コア２１４は、図２１（ｂ）に示すように、略正方形状を呈する板状体であり、その縦、横の長さは、主アンテナ１００のコア１１０の軸線方向の長さよりも長いことが、電波の受信感度を向上させる上で好ましい。
そして、副アンテナ２０４のコア２１４における縦方向であって、載置台３０３に設置される腕時計１の６時−１２時方向に対応する第１の方向に第１コイル２２４ａが巻回されており、また、副アンテナ２０４のコア２１４における横方向であって、載置台３０３に設置される腕時計１の３時−９時方向に対応する第２の方向に第２コイル２２４ｂが巻回されている。なお、コア２１４は、電波の受信感度が高い材料、例えば、フェライト等の磁性材料により形成されており、主アンテナ１００のコア１１０と同じ磁性材料であることが好ましい。
また、同調コンデンサＣａは、第１コイル２２４ａと第２コイル２２４ｂを、例えば、４０ｋＨｚの標準電波に同調するようになっている。そして、副アンテナ２０４は、コア２１４とコイル２２４ａ、２２４ｂの作用により４０ｋＨｚの標準電波に同調してその４０ｋＨｚの標準電波を受信することが可能になっている。
【０１０５】
そして、図２２に示すように、主アンテナ１００のコア１１０と、副アンテナ２０４のコア２１４とは、磁気的に結合可能となっている。
具体的には、副アンテナ２０４を標準電波による信号磁界中に置くと、例えば、信号磁束がコア２１３に集中して第１コイル２２４ａと鎖交し、第１コイル２２４ａには、第１コイル２２４ａ内部を通過する信号磁束の変化を妨げる向きに発生磁束が発生する。そして、副アンテナ２０４の第１コイル２２４ａに生じた発生磁束のうち、主アンテナ１００のコア１１０の軸線方向に沿った発生磁束の成分が、主アンテナ１００のコイル１２０に生じる誘導起電力をより増大させることにより、主アンテナ１００単独で電波を受信する場合に比べて、受信感度が向上するようになっている。
【０１０６】
ここで、副アンテナ２０４は、載置台３０３に設置される腕時計の６時−１２時方向に対応して巻回された第１コイル２２４ａと、その腕時計の３時−９時方向に対応して巻回された第２コイル２２４ｂとを備えているので、コア１１０の軸線方向が時計の６時−１２時方向に沿う主アンテナ１００を有する腕時計１ａが補助アンテナ装置１００３の載置台３０３に設置された場合でも、その腕時計１ａの主アンテナ１００が単独で電波を受信する場合に比べて、受信感度を向上させることが可能になっている。
具体的には、図２３に示すように、副アンテナ２０４の第２コイル２２４ｂに生じた発生磁束のうち、腕時計１ａの主アンテナ１００のコア１１０の軸線方向に沿った発生磁束の成分が、主アンテナ１００のコイル１２０に生じる誘導起電力をより増大させることができるので、主アンテナ１００単独で電波を受信する場合に比べて、受信感度を向上させることができるようになっている。
【０１０７】
また、図２３に示すように、腕時計が有する主アンテナ１００のコア１１０の軸線方向と、第１コイル２２４ａおよび第２コイル２２４ｂの巻回方向がそれぞれ異なる場合であっても、補助アンテナ装置１００３は、その腕時計の受信感度を向上させることができる。
具体的には、副アンテナ２０４の第１コイル２２４ａに生じた発生磁束のうち、主アンテナ１００のコア１１０の軸線方向に沿った発生磁束の成分と、副アンテナ２０４の第２コイル２２４ｂに生じた発生磁束のうち、腕時計１ａの主アンテナ１００のコア１１０の軸線方向に沿った発生磁束の成分とが、それぞれ主アンテナ１００のコイル１２０に生じる誘導起電力をより増大させることができるので、主アンテナ１００が単独で電波を受信する場合に比べて、受信感度を向上させることができるようになっている。
つまり、副アンテナ２０４は、副アンテナ２０４に対してどのような向きに配置された主アンテナ１００であっても、その受信感度を向上させることができるので、無指向性の副アンテナであるといえる。
なお、主アンテナ１００の受信感度を向上させる発生磁束の成分は、主アンテナ１００の軸線方向と、第１コイル２２４ａおよび第２コイル２２４ｂの巻回方向とがなす角度に応じた相関（例えば、三角関数）に基づいて求めることが可能である。
【０１０８】
このように、補助アンテナ装置１００３は、標準電波に対する無指向性を有する副アンテナ２０４を備えているので、その補助アンテナ装置１００３に係着させて載置する腕時計に備えられている主アンテナ１００のコア１１０の軸線方向によらず、任意の向きの主アンテナ１００の受信感度を好適に向上させることができる。
つまり、補助アンテナ装置１００３は、主アンテナ１００の向きによらず、その受信感度を向上させることができるので、所定の主アンテナ１００が備えられている任意の腕時計が標準電波を受信する受信感度を向上させることができる。
【０１０９】
（実施形態５）
次に、本発明に係る補助アンテナ装置の実施形態５について、図２４を用いて説明する。なお、実施形態１〜４と同一の構成要素には同一符号を付して説明を省略する。
【０１１０】
補助アンテナ装置における副アンテナを、以下に示す構成にしてもよい。
図２４は、腕時計１が補助アンテナ装置１００４の載置台３０４に所定の状態で設置されている状態における要部の拡大断面図である。
【０１１１】
図２４に示すように、補助アンテナ装置１００４は、載置台３０４と、副アンテナ２０４、２０５を備え、その載置台３０４に副アンテナ２０４、２０５が内蔵されている。また、腕時計１には主アンテナ１００が内蔵されている。
【０１１２】
載置台３０４は、腕時計１を使用しない際に載置して保管するための台であり、載置台３０４には、腕時計１の外形に沿った載置溝３００ａが形成されている。
この腕時計１を、その載置溝３００ａに合わせて載置して設置することにより、腕時計１が載置台３０４に係着するとともに、主アンテナ１００と、副アンテナ２０４、２０５とが磁気的に結合し、標準電波の受信感度が向上するようになっている。なお、腕時計１に内蔵される主アンテナ１００は、そのコア１１０の軸線方向が、時計の３時−９時方向に沿って設けられている。
【０１１３】
副アンテナ２０４は、コア２１４と、そのコア２１４の縦方向と横方向とにそれぞれ銅線等を巻きつけて形成したコイル２２４ａ、２２４ｂと、コイル２２４ａ、２２４ｂにそれぞれ接続された同調コンデンサＣａと、により構成されている（図２１（ａ）参照）。
同様に、副アンテナ２０５は、コア２１５と、そのコア２１５の縦方向と横方向とにそれぞれ銅線等を巻きつけて形成したコイル２２５ａ、２２５ｂと、コイル２２５ａ、２２５ｂにそれぞれ接続された同調コンデンサＣｂと、により構成されている
そして、副アンテナ２０４と副アンテナ２０５は、載置台３０４の内部であって、その載置台３０４に腕時計１が所定の状態で設置された際に、載置台３０４における腕時計１の下方に対応する位置に重ねられるように配設されている。
【０１１４】
特に、コア２１４、２１５は、略正方形状を呈する板状体であり、その縦、横の長さは、主アンテナ１００のコア１１０の軸線方向の長さよりも長いことが、電波の受信感度を向上させる上で好ましい。
そして、副アンテナ２０４のコア２１４における縦方向であって、載置台３０４に設置される腕時計１の６時−１２時方向に対応する第１の方向に第１コイル２２４ａが巻回されており、また、副アンテナ２０４のコア２１４における横方向であって、載置台３０４に設置される腕時計１の３時−９時方向に対応する第２の方向に第２コイル２２４ｂが巻回されている。同様に、副アンテナ２０５のコア２１５における縦方向であって、載置台３０４に設置される腕時計１の６時−１２時方向に対応する第１の方向に第１コイル２２５ａが巻回されており、また、副アンテナ２０５のコア２１５における横方向であって、載置台３０４に設置される腕時計１の３時−９時方向に対応する第２の方向に第２コイル２２５ｂが巻回されている。
なお、コア２１４、２１５は、電波の受信感度が高い材料、例えば、フェライト等の磁性材料により形成されており、主アンテナ１００のコア１１０と同じ磁性材料であることが好ましい。
また、同調コンデンサＣａは、第１コイル２２４ａと第２コイル２２４ｂを、例えば、４０ｋＨｚの標準電波に同調するようになっている。また、同調コンデンサＣｂは、第１コイル２２５ａと第２コイル２２５ｂを、例えば、６０ｋＨｚの標準電波に同調するようになっている。
そして、副アンテナ２０４は、コア２１４とコイル２２４ａ、２２４ｂの作用により４０ｋＨｚの標準電波に同調してその４０ｋＨｚの標準電波を受信することが可能になっている。同様に、副アンテナ２０５は、コア２１５とコイル２２５ａ、２２５ｂの作用により６０ｋＨｚの標準電波に同調してその６０ｋＨｚの標準電波を受信することが可能になっている。
【０１１５】
そして、副アンテナ２０４は、載置台３０４に設置される腕時計の６時−１２時方向に対応して巻回された第１コイル２２４ａと、その腕時計の３時−９時方向に対応して巻回された第２コイル２２４ｂとを備えているので、コア１１０の軸線方向が時計の３時−９時方向に沿う主アンテナ１００を有する腕時計１と、コア１１０の軸線方向が時計の６時−１２時方向に沿う主アンテナ１００を有する腕時計１ａが、補助アンテナ装置１００４の載置台３０４に設置された場合に、それぞれの腕時計の主アンテナ１００が単独で４０ｋＨｚの標準電波を受信する場合に比べて、受信感度を向上させることが可能になっている。
同様に、副アンテナ２０５は、載置台３０４に設置される腕時計の６時−１２時方向に対応して巻回された第１コイル２２５ａと、その腕時計の３時−９時方向に対応して巻回された第２コイル２２５ｂとを備えているので、コア１１０の軸線方向が時計の３時−９時方向に沿う主アンテナ１００を有する腕時計１と、コア１１０の軸線方向が時計の６時−１２時方向に沿う主アンテナ１００を有する腕時計１ａが、補助アンテナ装置１００４の載置台３０４に設置された場合に、それぞれの腕時計の主アンテナ１００が単独で６０ｋＨｚの標準電波を受信する場合に比べて、受信感度を向上させることが可能になっている。
つまり、副アンテナ２０４と副アンテナ２０５は、副アンテナ２０４、２０５に対してどのような向きに配置された主アンテナ１００であっても、その受信感度を向上させることができるので、無指向性の副アンテナであるといえる。
【０１１６】
このように、補助アンテナ装置１００４は、標準電波に対する無指向性を有する副アンテナ２０４、２０５を備えているので、その補助アンテナ装置１００４に係着させて載置する腕時計に備えられている主アンテナ１００のコア１１０の軸線方向によらず、任意の向きの主アンテナ１００の受信感度を好適に向上させることができる。
つまり、補助アンテナ装置１００４は、主アンテナ１００の向きによらず、その受信感度を向上させることができるので、所定の主アンテナ１００が備えられている任意の腕時計が標準電波を受信する受信感度を向上させることができる。
特に、補助アンテナ装置１００４は、４０ｋＨｚの標準電波用の副アンテナ２０４と、６０ｋＨｚの標準電波用の副アンテナ２０５を備えているので、腕時計が４０ｋＨｚの標準電波と６０ｋＨｚの標準電波を受信する受信感度を向上させることができる。
【０１１７】
（実施形態６）
次に、本発明に係る補助アンテナ装置の実施形態６について、図２５を用いて説明する。なお、実施形態１〜５と同一の構成要素には同一符号を付して説明を省略する。
【０１１８】
補助アンテナ装置の載置台に内蔵する副アンテナを、以下に示す構成にしてもよい。
図２５は、本実施形態６における補助アンテナ装置の載置台に配設される副アンテナ２０６を示す説明図である。
【０１１９】
図２５（ａ）に示すように、副アンテナ２０６は、コア２１６と、そのコア２１６の縦方向に銅線等を巻きつけて形成したコイル２２６１、２２６３と、そのコア２１６の横方向とに銅線等を巻きつけて形成したコイル２２６２、２２６４と、コイル２２６１、２２６２にそれぞれ接続された同調コンデンサＣａと、コイル２２６３、２２６４にそれぞれ接続された同調コンデンサＣｂと、により構成されている。
そして、副アンテナ２０６は、載置台の内部であって、その載置台に腕時計が所定の状態で設置された際に、載置台における腕時計の下方に対応する位置に配設されている。
【０１２０】
コア２１６は、図２５（ｂ）に示すように、略正方形状を呈する板状体であり、その縦、横の長さは、主アンテナ１００のコア１１０の軸線方向の長さよりも長いことが、電波の受信感度を向上させる上で好ましい。
【０１２１】
そして、副アンテナ２０６のコア２１６における縦方向であって、載置台に設置される腕時計の６時−１２時方向に対応する第１の方向に第１コイル２２６１と第３コイル２２６３が巻回されており、また、副アンテナ２０６のコア２１６における横方向であって、載置台に設置される腕時計の３時−９時方向に対応する第２の方向に第２コイル２２６２と第４コイル２２６４が巻回されている。なお、コア２１６は、電波の受信感度が高い材料、例えば、フェライト等の磁性材料により形成されており、主アンテナ１００のコア１１０と同じ磁性材料であることが好ましい。
【０１２２】
また、同調コンデンサＣａは、第１コイル２２６１と第２コイル２２６２を、４０ｋＨｚの標準電波に同調するようになっている。同様に、同調コンデンサＣｂは、第３コイル２２６３と第４コイル２２６４を、６０ｋＨｚの標準電波に同調するようになっている。
そして、副アンテナ２０６は、コア２１６と第１コイル２２６１、第２コイル２２６２の作用により４０ｋＨｚの標準電波に同調してその４０ｋＨｚの標準電波を受信することが可能になっている。同様に、副アンテナ２０６は、コア２１６と第３コイル２２６３、第４コイル２２６４の作用により６０ｋＨｚの標準電波に同調してその６０ｋＨｚの標準電波を受信することが可能になっている。
【０１２３】
そして、副アンテナ２０６は、載置台に設置される腕時計の６時−１２時方向に対応して巻回された第１コイル２２６１と、その腕時計の３時−９時方向に対応して巻回された第２コイル２２６２とを備えているので、コア１１０の軸線方向が時計の３時−９時方向に沿う主アンテナ１００を有する腕時計１と、コア１１０の軸線方向が時計の６時−１２時方向に沿う主アンテナ１００を有する腕時計１ａが、副アンテナ２０６が備えられる補助アンテナ装置の載置台に設置された場合に、それぞれの腕時計の主アンテナ１００が単独で４０ｋＨｚの標準電波を受信する場合に比べて、受信感度を向上させることが可能になっている。
同様に、副アンテナ２０６は、載置台に設置される腕時計の６時−１２時方向に対応して巻回された第３コイル２２６３と、その腕時計の３時−９時方向に対応して巻回された第４コイル２２６４とを備えているので、コア１１０の軸線方向が時計の３時−９時方向に沿う主アンテナ１００を有する腕時計１と、コア１１０の軸線方向が時計の６時−１２時方向に沿う主アンテナ１００を有する腕時計１ａが、副アンテナ２０６が備えられる補助アンテナ装置の載置台に設置された場合に、それぞれの腕時計の主アンテナ１００が単独で６０ｋＨｚの標準電波を受信する場合に比べて、受信感度を向上させることが可能になっている。
つまり、副アンテナ２０６は、副アンテナ２０６に対してどのような向きに配置された主アンテナ１００であっても、その受信感度を向上させることができるので、無指向性の副アンテナであるといえる。
【０１２４】
このように、副アンテナ２０６を備える補助アンテナ装置は、その副アンテナ２０６が有する標準電波の受信に関する無指向性により、その補助アンテナ装置に係着させて載置する腕時計に備えられている主アンテナ１００のコア１１０の軸線方向によらず、任意の向きの主アンテナ１００の受信感度を好適に向上させることができる。
つまり、副アンテナ２０６を備える補助アンテナ装置は、主アンテナ１００の向きによらず、その受信感度を向上させることができるので、所定の主アンテナ１００が備えられている任意の腕時計が標準電波を受信する受信感度を向上させることができる。
特に、副アンテナ２０６は、４０ｋＨｚの標準電波用の第１コイル２２６１、第２コイル２２６２と、６０ｋＨｚの標準電波用の第３コイル２２６３、第４コイル２２６４とを有するコア２１６を備えているので、副アンテナ２０６を備える補助アンテナ装置は、腕時計が４０ｋＨｚの標準電波と６０ｋＨｚの標準電波を受信する受信感度を向上させることができる。
【０１２５】
なお、以上の実施の形態においては、副アンテナ２０１と副アンテナ２０２を、載置台３００に載置される腕時計の時計ケースの周囲に対応する位置に配設するように説明したが、本発明はこれに限定されるものではなく、例えば、略Ｌ字形状を呈する副アンテナ２０１と副アンテナ２０２を、載置台３００に載置される腕時計の時計ケースの下方に対応する位置に配設するようにしてもよい。
【０１２６】
また、以上の実施の形態においては、副アンテナ２０１と副アンテナ２０２を、載置台３０１に載置される腕時計の時計ケースの下方に対応する位置に配設するように説明したが、本発明はこれに限定されるものではなく、例えば、略十字形状を呈する副アンテナ２０１と副アンテナ２０２を、載置台３００に載置される腕時計の時計ケースの周囲に対応する位置に配設するようにしてもよい。
【０１２７】
また、以上の実施の形態においては、副アンテナ２０１と副アンテナ２０２との配置が、略Ｌ字形状を呈する配置と、略十字形状を呈する配置とを例に挙げて説明したが、本発明はこれに限定されるものではなく、例えば、略Ｔ字形状を呈する配置などであってもよい。
【０１２８】
また、主アンテナに対する副アンテナは１つや２つであることに限らず、３つ以上の副アンテナが配置されてもよい。
同様に、副アンテナのコアに並設されるコイルは２つであることに限らず、３つ以上のコイルを形成するようにしてもよい。
【０１２９】
また、電子機器は、電波腕時計に限らず、携帯電話機などその他の電子機器であってもよい。
また、その他、具体的な細部構造等についても適宜に変更可能であることは勿論である。
【図面の簡単な説明】
【０１３０】
【図１】本発明に係る補助アンテナ装置の載置台に腕時計が係着した状態を示す斜視図である。
【図２】載置台に腕時計が係着されている補助アンテナ装置の拡大正面図である。
【図３】図２のIII−III線における拡大断面図である。
【図４】腕時計の要部構成を示すブロック図である。
【図５】主アンテナと副アンテナの配置を示す説明図である。
【図６】本発明に係る補助アンテナ装置の載置台に腕時計が係着した状態を示す斜視図である。
【図７】載置台に腕時計が係着されている補助アンテナ装置の拡大正面図である。
【図８】図７のVIII−VIII線における拡大断面図である。
【図９】主アンテナと副アンテナの配置を示す説明図である。
【図１０】本発明の実施形態２における補助アンテナ装置の載置台に腕時計が係着した状態を示す斜視図である。
【図１１】本発明の実施形態２における補助アンテナ装置の載置台に腕時計が係着されている状態を示す拡大正面図である。
【図１２】図１１のXII−XII線における拡大断面図である。
【図１３】本発明の実施形態３における補助アンテナ装置の載置台に腕時計が係着した状態を示す斜視図である。
【図１４】本発明の実施形態３における補助アンテナ装置の載置台に腕時計が係着されている状態を示す拡大正面図である。
【図１５】図１４のXV−XV線における拡大断面図である。
【図１６】主アンテナと副アンテナの配置を示す説明図である。
【図１７】副アンテナに生じる発生磁束が主アンテナに作用する縦横方向成分に関する説明図である。
【図１８】本発明の実施形態４における補助アンテナ装置の載置台に腕時計が係着した状態を示す斜視図である。
【図１９】本発明の実施形態４における補助アンテナ装置の載置台に腕時計が係着されている状態を示す拡大正面図である。
【図２０】図１９のXX−XX線における拡大断面図である。
【図２１】板状の副アンテナを示す説明図（ａ）と、その副アンテナを示す斜視図（ｂ）である。
【図２２】主アンテナと板状の副アンテナの配置を示す説明図である。
【図２３】主アンテナと板状の無指向性の副アンテナの配置を示す説明図である。
【図２４】本発明の実施形態５における補助アンテナ装置の載置台に腕時計が係着した状態を示す拡大断面図である。
【図２５】本発明の実施形態６における補助アンテナ装置に備えられる板状の副アンテナを示す説明図（ａ）と、その副アンテナを示す斜視図（ｂ）である。
【符号の説明】
【０１３１】
１、１ａ  腕時計（電子機器、電波腕時計）
１００    主アンテナ
１１０    コア
１２０    コイル
２０１、２０２  副アンテナ
２１１、２１２  コア
２２１ａ、２２１ｂ、２２２ａ、２２２ｂ  コイル
３００、３０１  載置台（設置部）
１０００、１００１  補助アンテナ装置
２０３    副アンテナ
２１３    コア
２２３ａ、２２３ｂ  コイル
３０２    載置台（設置部）
１００２  補助アンテナ装置
２０４、２０５  副アンテナ
２１４、２１５  コア
２２４ａ、２２５ａ  第１コイル
２２４ｂ、２２５ｂ  第２コイル
３０３、３０４  載置台（設置部）
１００３、１００４  補助アンテナ装置
２０６    副アンテナ
２１６    コア
２２６１  第１コイル
２２６２  第２コイル
２２６３  第３コイル
２２６４  第４コイル
Ｃａ、Ｃｂ  同調コンデンサ
【図１】
0004586744.tif 000002
【図２】
0004586744.tif 000003
【図３】
0004586744.tif 000004
【図４】
0004586744.tif 000005
【図５】
0004586744.tif 000006
【図６】
0004586744.tif 000007
【図７】
0004586744.tif 000008
【図８】
0004586744.tif 000009
【図９】
0004586744.tif 000010
【図１０】
0004586744.tif 000011
【図１１】
0004586744.tif 000012
【図１２】
0004586744.tif 000013
【図１３】
0004586744.tif 000014
【図１４】
0004586744.tif 000015
【図１５】
0004586744.tif 000016
【図１６】
0004586744.tif 000017
【図１７】
0004586744.tif 000018
【図１８】
0004586744.tif 000019
【図１９】
0004586744.tif 000020
【図２０】
0004586744.tif 000021
【図２１】
0004586744.tif 000022
【図２２】
0004586744.tif 000023
【図２３】
0004586744.tif 000024
【図２４】
0004586744.tif 000025
【図２５】
0004586744.tif 000026